(57)【要約】      （修正有）【課題】屋根の表面材に平板パネルを用いる場合、この平板パネルをベース材及び野地板に確実に固定して剥離、落下のおそれをなくすために、釘留め等の工法が考えられる。しかし、釘留めにすると釘穴からの漏水のおそれがあることから、釘穴からの漏水と、平板パネル間からの漏水を完全に防止することを目的とした屋根構造材を提供する。【解決手段】発泡樹脂製のベース材上に平板パネルが複数枚載置接着されている屋根構造材であって、ベース材は軒先方向に差込部、棟方向には押え部があり、棟方向の先端表面に水切部とその下流に複数の釘受けがあり、裏面には複数の縦桟部と釘穴水抜ドームとＶ字状の溝があるとともに、平板パネル間の隙間に板金１７を配設してなる屋根構造材である。【選択図】図９
0003142242.tif 000002
【実用新案登録請求の範囲】
【請求項１】
発泡樹脂製のベース材１上に平板パネル２の表面材が複数枚載置・接着されてなる屋根構造材であって、前記ベース材１が、その軒先方向の先端部に下部が突出した差込部７を、また棟方向の先端部には隣接するベース材１の前記差込部が差し込めるよう下部が切り込まれた押さえ部８を具え、
かつ棟方向の先端付近の表面に水切部９を、さらにその下流の表面に複数の釘受け６となる突起が突設され、
さらにまた裏面には野地板３との間に一定の空気層及び流水部１１を確保するための複数の縦桟部１０が突設され、そして該縦桟部１０の下面には、打ち込まれる釘４に沿って流入する雨水を排出する釘穴水抜ドーム１２を前記釘受け６の下方に相当する位置に設け、さらに前記釘穴水抜ドーム１２の棟側及び軒先側にそれぞれ近接して逆Ｖ字状の溝１３，１３が設けられているとともに平板パネル２，２間の隙間に板金１７を配設してなることを特徴とする屋根構造材。
【請求項２】
前記水切部９が、ベース材１の表面の棟方向の先端付近に突設された横方向に延びる１本の連続した突条１４ａと、横方向に並ぶ複数の断続した突条１４ｂとで構成されてなることを特徴とする請求項１に記載の屋根構造材。
【請求項３】
前記釘穴水抜ドーム１２の棟側及び軒先側にそれぞれ近接して設けられた逆Ｖ字状の溝１３、１３が、棟側の溝１３は釘穴水抜ドーム１２と連通せず、軒下側の溝１３は前記釘穴水抜ドーム１２と連通してなることを特徴とする請求項１又は２に記載の屋根構造材。
【請求項４】
前記釘穴水抜ドーム１２は、ベース材１の裏面に設けられた半球椀状のくり抜きであって、その頂点は釘受け６の底辺に当接し、釘４を伝って流下した雨水は釘４の表面を離れて釘穴水抜ドーム１２の椀状の壁面に移行し、さらに釘穴水抜ドーム１２に連通する溝１３に流出してから空気層及び流水部１１に排出されるよう構成されていることを特徴とする請求項１乃至３のいずれか１項記載の屋根構造材。
【考案の詳細な説明】
【技術分野】
【０００１】
本考案は、防水シートを敷設した野地板上にベース材を敷設し、さらにベース材上に表面材として平板パネルを載置、接着、釘留めしてなる屋根構造材に関する。
【背景技術】
【０００２】
野地板と、その上に葺かれる屋根瓦裏面との間の空間に、ベース材である発泡樹脂の形成体を設けた屋根施工構造は従来から知られている。
例えば、実開平２−１１９２５号公報には、野地板とその上に葺かれる屋根瓦裏面との間の空間に充填可能な断面形状とされた発泡樹脂より成る形成体の瓦葺き足方向の上方側端部が、扁平厚の差口とされているとともに、下方側端部の裏面角部には前記差口嵌挿用空所部が形成され、前記本体上面には前記差口上面より本体下方側端部に至る連通した排水溝が複数条形成され、前記差口には瓦桟止着用スペーサの嵌着孔が前記排水溝の間に貫設された断熱ベース材が公示されている。
【０００３】
【特許文献１】実開平２−１１９２５号公報
【考案の開示】
【考案が解決しようとする課題】
【０００４】
上記特許文献１の考案では、瓦桟とベース材及び野地板は釘もしくはアンカープラグで止められるので大きな止着力が得られているが、表面の屋根材である瓦は瓦桟で止められてはいるものの屋根材に載置されているだけであって、台風・地震その他の振動でズレを生じたり、極端な場合には、飛散・落下したりするおそれがある。さらに瓦の剥離、落下による人的被害や、家屋の雨水侵入といった二次的被害も想定される。
【０００５】
そこで屋根の表面材に平板パネルを用いる場合、この平板パネルをベース材及び野地板に確実に固定して剥離・落下のおそれをなくすために、釘留め等の工法が考えられる。しかし、釘留めにすると、釘穴からの漏水のおそれがあることから、本考案は、特に釘穴からの漏水と、ベース材上に所定間隔を置いて載置、接着、釘留めされる平板パネル間からの漏水を完全に防止することを目的としてなされたものである。
【課題を解決するための手段】
【０００６】
本考案者は、上記課題を下記の手段によって解決した。
（１）発泡樹脂製のベース材１上に平板パネル２の表面材が複数枚載置・接着されてなる屋根構造材であって、前記ベース材が、その軒先方向の先端部に下部が突出した差込部を、また棟方向の先端部には隣接するベース材の前記差込部が差し込めるよう下部が切り込まれた押さえ部を備え、
かつ棟方向の先端付近の表面に水切部を、さらにその下流の表面に複数の釘受けとなる突起が突設され、
さらにまた裏面には野地板との間に一定の空気層及び流水部を確保するための複数の縦桟部が突設され、そして該縦桟部の下面には、打ち込まれる釘に沿って流入する雨水を排出する釘穴水抜ドームを前記釘受けの下方に相当する位置に設け、さらに前記釘穴水抜ドームの棟側及び軒先側にそれぞれ近接して逆Ｖ字状の溝が設けられているとともに平板パネル間の隙間に板金を配設してなることを特徴とする屋根構造材。
【０００７】
（２）前記水切部が、ベース材の表面の棟方向の先端付近に突設された横方向に延びる１本の連続した突条と、横方向に並ぶ複数の断続した突条で構成されてなることを特徴とする前項（１）に記載の屋根構造材。
【０００８】
（３）前記釘穴水抜ドームの棟側及び軒先側にそれぞれ近接して設けられた逆Ｖ字状の溝が、棟側の溝は釘穴水抜ドームと連通せず、軒下側の溝は前記釘穴水抜ドームと連通してなることを特徴とする前項（１）又は（２）に記載の屋根構造材。
【０００９】
（４）前記釘穴水抜ドームは、ベース材の裏面に設けられた半球椀状のくり抜きであって、その頂点は釘受けの底辺に当接し、釘を伝って流下した雨水は釘の表面を離れて釘穴水抜ドームの椀状の壁面に移行し、さらに釘穴水抜ドームに連通する溝に流出してから空気層及び流水部に排出されるよう構成されていることを特徴とする請求項１乃至３のいずれか１項記載の屋根構造材。
【考案の効果】
【００１０】
本考案の屋根構造材によって下記の効果が発揮できる。
〈１〉発泡樹脂製のベース材でなる下層部と平板パネルの表面材でなる上層部との二層で形成される屋根材において、前記ベース材が、その軒先方向の先端部に下部が突出した差込部を、また棟方向の先端部には隣接するベース材の前記差込部が差し込めるよう下部が切り込まれた押さえ部を備えているので、ベース材を野地板上へ載置する際、棟側に配設した前記ベース材の差込部に次段のベース材の押さえ部を重ねることによってベース材の縦方向の接合が確実、容易に可能となる。
したがって、近年問題となっている熟練技術者の不足をカバーし、施工工法の簡素化と維持管理の経費節減に寄与できる。
【００１１】
〈２〉前記ベース材が、その裏面に突設した複数の縦桟部を設けて防水シートと野地板との間に一定の空気層及び流水部を確保し、そして該縦桟部の下面に打ち込まれた釘に沿って侵入する雨水を前記空気層及び流水部に排出するための釘穴水抜ドームと逆Ｖ字状の溝が設けられ、また前記ベース材の棟方向の先端付近の表面に水切部を設けて、該水切部の上に一定間隔の隙間を持って並べられる平板パネル間の隙間からの雨水を前記水切り部の突条によって前記空気層及び流水部に導いて軒先方向に流出させるので、防水性に優れた屋根構造体を提供できる。
【００１２】
〈３〉さらに、平板パネルが、その軒先側端部をベース材の差込部より突出するようにしてベース材に搭載・接着されるので、前記突出した平板パネルの軒側端部が、下段の屋根構造材を野地板に釘留めした釘の頭部を覆うので、上記効果〈２〉に加えて、より高い防水効果をもたらす。
【００１３】
〈４〉屋根構造材の施工工法においては、釘穴を覆うように横長の発泡樹脂製の防水シートを配設した後釘打ちを行って、平板パネル、防水シール、ベース材を野地板に釘留めして一体化するので、より防水効果の高い屋根構造が施工できる。
また、本屋根構造材が、発泡樹脂製のベース材を備えているので断熱、防音能力にも優れ、長期間、快適な居住環境を確保できる。
【００１４】
〈５〉本考案の屋根構造材の施工工法においては、平板パネル、防水シール、ベース材が、防水シートと野地板に釘留めされて一体化されるので、地震・台風・振動に耐性を持つ屋根構造が施工できる。
【００１５】
〈６〉本考案の屋根構造材の施工工法において、一端が上方に逆コ字状に折り曲げられ他端は下方にコ字状に折り曲げられてなる防災金具を備え、棟側の平板パネルの下端を前記防災金具の逆コ字状に折り曲げられた凹部に嵌入させ、軒先側の平板パネルの上端を前記防災金具のコ字状に折り曲げられた凹部に嵌入させ、上下の平板パネルを互いに連結しているので、台風によって平板パネルが吹き上げられて剥離したり、地震などの揺れによって釘留めが緩んだりする等のおそれも軽減できる。
【００１６】
〈７〉本考案の屋根構造材の施工工法において、ベース材上に横に並べて載置、接着、釘留めされる複数枚の平板パネルが、地震・台風、その他の振動等による位置ずれによって破損しないよう所定間隔を持たせてなり、かつ平板パネル間の隙間の下部に、板金を配設しているので前記隙間の流入した雨水は、前記板金上を流下しベース材への流入が防止でき、より優れた防水効果を持つ屋根構造材が提供できる。
【考案を実施するための最良の形態】
【００１７】
以下図面に基づいて本考案を実施するための最良の形態について説明する。
図１は本考案による屋根構造材の概念斜視図であり、本考案の屋根構造材を複数枚屋根の傾斜に沿って縦一列に並べて配置した状態を示している。
図２、図３はベース材の構造図であって、図２（ａ）はベース材の表面構造を示す平面図、（ｂ）は正面図、（ｃ）は側面図、図３はベース材の裏面の構造を示す底面図である。図４は釘穴水抜ドーム部分の拡大図（図３にＸ−Ｘで示す部分）の断面図である。また図５はベース材に平板パネルを載置した構造図で（ａ）は平面図、（ｂ）は正面図、（ｃ）は側面図であり、図６は屋根構造材（図５にＡ−Ａで示す部分）の断面図である。
さらに図７は防災用金具の斜視図であり、図８は防災金具装着時の屋根構造の説明図、図９は平板パネル間の隙間の下部に板金を装着したときの屋根構造の説明図である。
図において１はベース材、２は平板パネル、３は野地板、４は釘、５は防水シール、６は釘受け、７は差込部、８は押さえ部、９は水切部、１０は縦桟部、１１は空気層及び流水部、１２は釘穴水抜ドーム、１３は溝、１４ａは連続した突条、１４ｂは断続した突条、１５は防災金具、１５ａは逆コ字状に折り曲げられた凹部、１５ｂはコ字状に折り曲げられた凹部、１６は防水シート、１７は板金を示す。
なお上記図面はあくまでも本考案を実施する場合の一例であって、請求の範囲に記載する技術範囲を限定するものではない。
【００１８】
本考案の屋根構造材は、図６に示すように、発泡樹脂製（通常は発泡ポリスチレン製）のベース材１でなる下層部と平板パネル２の表面材でなる上層部との二層で形成される屋根構造材であって、前記ベース材１が、その軒先方向の先端部に下部が突出した差込部７を、また棟方向の先端部には隣接するベース材１の前記差込部７が差し込めるよう下部が切り込まれた押さえ部８を備え、
かつ棟方向の先端付近の表面に水切部９を、さらにその下流の表面に釘受け６となる複数の突起が突設され、
さらにまた図３に見られるように、その裏面には防水シート１６と野地板３との間に一定の空気層及び流水部１１を確保するための複数の縦桟部１０が突設され、そして該縦桟部１０の下面には、打ち込まれた釘に沿って流入する雨水を排出する釘穴水抜ドーム１２を前記釘受け６の下方に相当する位置に設けられ、さらに前記釘穴水抜ドーム１２の棟側及び軒先側にそれぞれ近接して逆Ｖ字状の溝１３，１３が設けられている。
前記水切部９は、図２（ａ）の平面図に示すように、横方向に延びる１本の連続した突条１４ａと、横方向に並んだ複数本の断続した突条１４ｂとで構成されている。図２（ａ）では断続した突条１４ｂを１列のみ記載したが、２列あるいはそれ以上配設してもよい。
また前記釘穴水抜ドーム１２の棟側及び軒先側にそれぞれ近接して設けられた逆Ｖ字状の溝１３のうち、棟側の溝１３は釘穴水抜ドーム１２と連通せず、軒下側の溝１３は前記釘穴水抜ドーム１２と連通している。
【００１９】
図６において、平板パネル２の上の防水シール５の上より打ち込んだ釘４は野地板３に打ち込まれ、ベース材１全体を野地板３に固定する役割を果たすと同時にベース材１の押さえ部８が上部に設置されるベース材１の差込部７を押さえ込むことにより、ベース材１，１…が台風等によるめくり上がりを防ぎ、実質ベース材１，１…をそれぞれ上下２箇所の釘で野地板に固定することになる。
【００２０】
また、前記釘穴水抜ドーム１２は、ベース材１の裏面に設けられた半球形椀状のくり抜きであって、その頂点は釘受け６の底辺に当接し、釘４を伝って流下した雨水は釘４の表面を離れて、釘穴水抜ドーム１２の椀状の壁面に移行し、さらに釘穴水抜ドーム１２に連通する溝１３に流出してから空気層及び流水部１１に排出されるよう構成されている。
【００２１】
本考案の屋根構造材の施工工法は、下記の手順で行われる。
〔１〕図８に示すように、防水シート１６を敷設した野地板３上にベース材１を軒の方から順次載置する。この際棟側に載置した前記ベース材１の差込部７に次段のベース材１の押さえ部８を重ねていく（図１参照）。
〔２〕防水シート１６と野地板３上に載置されたベース材１上に図５に示すように複数枚の平板パネル２を所定の間隔を持たせて横方向に並べる。この際平板パネル２の釘穴をベース材１の釘受け６（図２参照）の突起に当接させるとともに、平板パネル２の棟側端部をベース材１の水切部９の断続した突条１４ｂ側の外壁面に当接させる。
〔３〕前記平板パネル２の釘穴を覆うように横長の発泡樹脂製の防水シール５を配設した後に釘４を打ち込んで、平板パネル２、防水シール５、ベース材１を防水シート１６と野地板３に釘留めして一体化する（図６参照）。
〔４〕台風によって平板パネル２が吹き上げられて剥離したり、地震などの揺れによって釘留めが緩んだりする等のおそれを軽減するため、図７に示す一端が上方に逆コ字状に折り曲げられ他端は下方にコ字状に折り曲げられてなる防災金具１５の逆コ字状に折り曲げられた凹部１５ａに棟側の平板パネル２の下端を、コ字状に折り曲げられた凹部１５ｂに軒先側の平板パネル２の上端を嵌入させ、上下の平板パネル２，２を互いに連結する。
〔５〕また、ベース材１の上に横に並べて載置、接着、釘留めされる複数枚の平板パネル２，２…が、地震・台風、その他の振動等による位置ずれによって破損しないよう設けられた所定の間隔の隙間からベース材１の表面に流入する雨水を防止するために、前記隙間の下部に板金を配設する（図９参照）。
【００２２】
本考案の屋根構造材では平板パネル２は、地震・台風、その他の振動等による位置ずれによって破損しないよう所定間隔を持たせているので、平板パネル２上を流下する雨水は、その隙間に配設された板金１７上を流下し、軒先に排出される。
【００２３】
水切部９の連続した突条１４ａと断続した突条１４ｂの作用を説明すると、強風で平板パネル２，２間に吹き込んだ雨水が防水シール５を越えて侵入したとき、断続した突条１４ｂで雨水の侵入速度をやわらげ、次の連続した突条１４ａでそれ以上の侵入をほぼ完全に阻止する。
パネル２，２間に侵入した雨水は連続した突条１４ａと断続した突条１４ｂ及び防水シール５の間に流動することになるが、防水シール５の上面を伝わり横方向に移動してパネル２の側面に入り、板金１７上を軒先方向に流下する。
【００２４】
水切部９の連続した突条１４ａの外壁の遮られた雨水は縦桟部１０，１０の間の空気層及び流水部１１の部分に流出し、野地板３の上面にある防水シート１６上を流れ、軒先へ排出される。
【００２５】
ベース材１の差込部７と押さえ部８の組合せで、相互の結合部分が斜めであることで、すでに釘等で留められているベース材１の押さえ部８へ、上部のベース材１の差込部７が斜め下方へ移動することにより、平板パネル２の下面が水切部９の連続した突条１４ａ及び断続した突条１４ｂ及び防水シール５を押さえ込むことで止水する。
防水シール５は弾力のある素材を使用することで、シール上面より打込む釘のシール材としての役目と、打ち込んだ釘以外の面が形状を維持することで、防水シールの役目を損なわない。
【図面の簡単な説明】
【００２６】
【図１】本考案による屋根構造材の概念斜視図である。
【図２】ベース材の構造図であって、（ａ）は平面図、（ｂ）は正面図、（ｃ）は側面図である。
【図３】ベース材の構造図（底面図）である。
【図４】図３の釘穴水抜ドーム部分の拡大図である。
【図５】ベース材に平板パネルを載置したときの屋根構造の説明図であって、（ａ）は平面図、（ｂ）は正面図、（ｃ）は側面図である。
【図６】本考案の屋根構造材（図５にＡ−Ａで示す部分）の断面図である。
【図７】防災金具の斜視図である。
【図８】防災金具装着時の屋根構造の説明図であって、（ａ）は平面図、（ｂ）は正面図、（ｃ）は側面図である。
【図９】平板パネル間の隙間に板金を装着したときの屋根構造の説明図であって、（ａ）は平面図、（ｂ）は正面図、（ｃ）は側面図、（ｄ）は板金の斜視図である。
【符号の説明】
【００２７】
１：ベース材
２：平板パネル
３：野地板
４：釘
５：防水シール
６：釘受け
７：差込部
８：押さえ部
９：水切部
１０：縦桟部
１１：空気層及び流水部
１２：釘穴水抜ドーム
１３：溝
１４ａ：連続した突条
１４ｂ：断続した突条
１５：防災金具 
１５ａ：逆コ字状に折り曲げられた凹部
１５ｂ：コ字状に折り曲げられた凹部
１６：防水シート（ルーフィング）
１７：板金
【図９】
0003142242.tif 000003
【図１】
0003142242.tif 000004
【図２】
0003142242.tif 000005
【図３】
0003142242.tif 000006
【図４】
0003142242.tif 000007
【図５】
0003142242.tif 000008
【図６】
0003142242.tif 000009
【図７】
0003142242.tif 000010
【図８】
0003142242.tif 000011